(57)【要約】      （修正有）【課題】鉄棒運動の際の安定性が高く、鉄棒運動がしやすく、移動が容易な移動式鉄棒を提供する。【解決手段】移動式鉄棒１は鉛直な２本の支柱３と、水平な鉄棒バーと、水平な２本の鉄棒支持部とを備える。前記支柱３の上端部は、鉄棒バーの両方の端部にそれぞれ固定される。前記鉄棒支持部は、支柱３を支える支持杆１７と、支持杆１７の両端に備える接地部とを備える。前記支持杆１７の中央部は、前記各支柱３の下端部に前記鉄棒バーと直交する方向に固定される。前記鉄棒支持部は接地部と支持杆１７とを備える。前記接地部は支持杆１７の両端に配設し、前記接地部は、地面と接する形状とし、前記支持杆１７と地面との間には空間を有する。【選択図】図７
0003224308.tif 000002
【実用新案登録請求の範囲】
【請求項１】
移動式鉄棒であって、
鉛直な２本の支柱と、水平な鉄棒バーと、水平な２本の鉄棒支持部とを備え、
前記支柱の上端部は、鉄棒バーの両方の端部にそれぞれ固定され、
前記鉄棒支持部は、支柱を支える支持杆と、支持杆の両端に備える接地部と、を備え、
前記支持杆の中央部は、前記各支柱の下端部に前記鉄棒バーと直交する方向に固定され、
前記接地部は地面と接する形状であって、
前記支持杆と地面との間には空間を有する
ことを特徴とする移動式鉄棒。
【請求項２】
前記各支柱は筒状体とし、
前記鉄棒バーの両端部は前記各支柱の上端部を貫通して固定され、
前記各支柱の筒状体の内面であって、前記鉄棒バーの下面には、前記鉄棒バーを支える補助板を備える
ことを特徴とする請求項１記載の移動式鉄棒。
【請求項３】
前記支柱の長さ同一又は異なる複数の移動式鉄棒を、前記各支持杆及び前記支柱が近設するように配置し、
前記複数の支持杆が相互に移動することを防止する移動防止手段を備える
ことを特徴とする移動式鉄棒セット。
【考案の詳細な説明】
【技術分野】
【０００１】
本考案は、移動が容易な鉄棒及び鉄棒セットに関する。
【背景技術】
【０００２】
従来から、鉄棒、特に幼児用鉄棒は、幼稚園の園庭の中央部に設置したり、屋内で使用したいという要望があり、移動式の鉄棒が用いられているが、安定性が悪い、保管に広い場所が必要となる、移動がしにくいという問題点がある。また、幼児の身長に適した数種の高さの鉄棒が必要となるという問題点がある。
【０００３】
そのため、例えば、特許文献１には、鉄棒本体を保持するための脚体をして、左右の主柱及び左右方向の水平脚と左右の支棒により成る前後の張脚並びに主柱と支棒とを結ぶ腕板とにより構成することにより倒れたり移動したりすることがなく、且つ折畳み可能であって、鉄棒の横杆の高さを変換し得るとともに、その変換された位置を確保できる鉄棒が開示されている。
【０００４】
しかしながら、特許文献１の鉄棒は、左右の支棒があることにより、幼児が鉄棒運動をしにくく、また、鉄棒の設置と折畳みの操作や、鉄棒の高さを変える操作に手間がかかるという問題点がある。
【先行技術文献】
【特許文献】
【０００５】
【特許文献１】実全昭５５−１０９５５２
【考案の概要】
【考案が解決しようとする課題】
【０００６】
本考案は、鉄棒運動の際の安定性が高く、鉄棒運動がしやすく、移動が容易な移動式鉄棒を提供する。さらに、複数の移動式鉄棒を容易にまとめることができ、複数の移動式鉄棒を簡単に移動することができ、複数の移動式鉄棒をコンパクトに保管できる鉄棒セットを提供する。
【課題を解決するための手段】
【０００７】
上記課題を解決する本考案は次の内容のものである。
【０００８】
本考案の移動式鉄棒は、
鉛直な２本の支柱と、水平な鉄棒バーと、水平な２本の鉄棒支持部とを備え、
前記支柱の上端部は、鉄棒バーの両方の端部にそれぞれ固定され、
前記鉄棒支持部は、支柱を支える支持杆と、支持杆の両端に備える接地部と、を備え、
前記支持杆の中央部は、前記各支柱の下端部に前記鉄棒バーと直交する方向に固定され、
前記接地部は地面と接する形状であって、
前記支持杆と地面との間には空間を有する。
【０００９】
前記各支柱は筒状体とし、
前記鉄棒バーの両端部は前記各支柱の上端部を貫通して固定され、
前記各支柱の筒状体の内面であって、前記鉄棒バーの下面には、前記鉄棒バーを支える補助板を備える。
【００１０】
本考案の鉄棒セットは、前記支柱の長さ同一又は異なる複数の移動式鉄棒を、前記各支持杆及び前記支柱が近設するように配置し、
前記複数の支持杆が相互に移動することを防止する移動防止手段を備える
【考案の効果】
【００１１】
本考案の移動式鉄棒は、鉄棒運動の際の安定性が高く、鉄棒運動がしやすく、容易に移動できる。そして、本考案の鉄棒セットは、本考案の移動式鉄棒を複数まとめて簡単に移動でき、複数の移動式鉄棒をコンパクトに保管できる。
【図面の簡単な説明】
【００１２】
【図１】本考案の移動式鉄棒の一例を示す正面図である。
【図２】本考案の移動式鉄棒の一例を示す側面図である。
【図３】本考案の移動式鉄棒の一例を示す斜視図である。
【図４】本考案の移動式鉄棒の接地部を支持杆の接続部分の一例を示す拡大正面図である。
【図５】本考案の移動式鉄棒の鉄棒バーと支柱との固定部分の一例を示す拡大断面図である。
【図６】本考案の移動式鉄棒の鉄棒バーと支柱との固定部分の一例を示すものであり、図１のＡ−Ａ断面図である。
【図７】本考案の鉄棒セットの一例を示す斜視図である。
【考案を実施するための形態】
【００１３】
以下、本考案の実施の形態の例について図を参照しながら説明する。尚、本考案は、以下の形態の例に限定されるものではない。
【００１４】
本考案の移動式鉄棒１は、鉛直な２本の支柱３と、水平な鉄棒バー９と、水平な２本の鉄棒支持部１３とを備える。前記支柱３の上端部５は、鉄棒バー９の両方の端部１１にそれぞれ固定される。（図１、２、３参照）。
【００１５】
前記鉄棒支持部１３は、支柱３を支える支持杆１７と、支持杆１７の両端に備える接地部１５と、を備える。前記支持杆１７の中央部は、前記各支柱３の下端部７に前記鉄棒バー９と直交する方向に固定される（図１、２、３、参照）。
【００１６】
本考案の移動式鉄棒１の材質は特に限定はないが、鉄棒運動を行う際の強度、安定性、耐久性を確保するために、一例として、金属を用い、好ましくは、ステンレスとすることにより、錆による劣化等を防ぐことができる。
【００１７】
本考案の移動式鉄棒１は、移動させるものであるから、人が容易に持ち運べる重さとするのが好ましい。移動式鉄棒１の材質に金属を用いる場合は、一例として、前記支柱３及び支持杆１７を筒状体とする。
【００１８】
鉄棒バー９の両端部１１と前記各支柱３の上端部５に固定する方法は、特に限定はなく、金属の場合は溶接などを用いてもよい。一例として、鉄棒バー９の両端部１１は支柱３を貫通させることにより、鉄棒の安定性、強度等を向上させることができる。好ましくは、前記各支柱３は筒状体とし、前記鉄棒バー９の各端部１１は前記各支柱３の上端部５を貫通させ、前記各支柱３の内部であって、前記鉄棒バー９の下面には、前記鉄棒バー９を支える補助板１９を備える。補助板１９は溶接などで固定するのが好ましい（図５、６参照）。
【００１９】
前記鉄棒支持部１３は接地部１５と支持杆１７とを備える。前記接地部１５は支持杆１７の両端に配設し、前記接地部１５は、地面と接する形状とし、前記支持杆１７と地面との間には空間２１を有する。鉄棒運動をした際に鉄棒バー９及び支柱２にかかる負荷は、前記空間２１に吸収されることにより、移動式鉄棒の安定性が格段に向上する。前記接地部１５の下面は、一定面積の水平面を有するものし、移動式鉄棒１を支える機能を備えさせる。接地部１５の下面は、一例として、ゴム等を用いた滑り止め手段１６を備えさせる。また、接地部１５の略中央部に透孔２７を設け、前記移動式鉄棒１を所望の位置に載置した後、前記透孔２７にアンカー等を貫通させることにより、前記移動式鉄棒１を固定させてもよい(図４参照)。
【００２０】
支柱３の長さは、特に限定はなく、鉄棒バー９の高さに応じて決めればよい。鉄棒支持部１３の長さは、移動式鉄棒１が安定する長さであれば特に限定はなく、一例として鉄棒支持部１３の長さ３１は、地面から鉄棒バー９の上端までの高さ２９より短くならないようにする。好ましくは、鉄棒バーの高さ２９と同じ長さの支持杆１７を用いて移動式鉄棒１を製造する。そうすることにより、色々は高さの移動式鉄棒１の注文があった場合であっても、間違うことなく安定性を備える移動式鉄棒１を製造できる（図２参照）。
【００２１】
本考案の鉄棒セット２３は、支柱３の長さ同一又は異なる複数の移動式鉄棒１を、前記各支持杆１７及び前記支柱３が近設するように配置する。そして、前記複数の支持杆１７が相互に移動することを防止する移動防止手段２５を備える。前記移動防止手段２６は、複数の支持杆１７が相互にずれるなどの移動することを防止できる手段であれば、どのような手段でもよく、一例として、面ファスナーを備えるベルト等を巻くなどする（図７参照）。
【産業上の利用可能性】
【００２２】
本考案の移動式鉄棒１は、安定性が高い上、地面に鉄棒バー９と平行する地面の部分に鉄棒の支える支持棒等がないため、鉄棒運動がしやすい。また、前記鉄棒バー９を持って移動させることができるため、容易に移動できる(図３参照)。そのため、例えば、比較的狭い園庭や校庭、屋内の運動スペースなどの鉄棒を常設できない場所であっても、本考案の移動式鉄棒１を配置することにより、いつでも簡単に鉄棒運動を行うことができる。
【００２３】
本考案の鉄棒セット２３は、図７のとおり、隣り合う移動式鉄棒１の支柱３及び支持杆１７が近設させることができるため、前記移動防止手段２５を備えさせるだけで、複数の移動式鉄棒１をまとめて容易に移動させることができる。そのため、幼児の身長に合わせた高さの異なる幼児用鉄棒をまとめて移動したり、多くの人が一度に鉄棒を利用できるように複数の鉄棒をまとめて移動する際に非常に便利である。また、複数の移動式鉄棒１を、移動式鉄棒セット２３としてコンパクトにまとめることができるため、保管のための広いスペースを必要としない。
【符号の説明】
【００２４】
１  移動式鉄棒
３  支柱
５  上端部
７  下端部
９  鉄棒バー
１１  端部
１３  鉄棒支持部
１５  接地部
１６  滑り止め手段
１７  支持杆
１９  補助板
２０  蓋部
２１  空間
２３  鉄棒セット
２５  移動防止手段
２７  透孔
２９  高さ
３１  長さ
【図１】
0003224308.tif 000003
【図２】
0003224308.tif 000004
【図３】
0003224308.tif 000005
【図４】
0003224308.tif 000006
【図５】
0003224308.tif 000007
【図６】
0003224308.tif 000008
【図７】
0003224308.tif 000009
【手続補正書】
【提出日】令和1年10月11日(2019.10.11)
【手続補正１】
【補正対象書類名】実用新案登録請求の範囲
【補正対象項目名】請求項３
【補正方法】変更
【補正の内容】
【請求項３】
請求項１又は請求項２に記載の移動式鉄棒につき、前記支柱の長さ同一又は異なる複数の前記移動式鉄棒を、前記各支持杆及び前記支柱が近設するように配置し、
前記複数の支持杆が相互に移動することを防止する移動防止手段を備える
ことを特徴とする移動式鉄棒セット。